(57)【要約】  熱圧着の際に発生するビアや配線導体の領域の樹脂流動を抑制し、ビアや配線導体の不良発生を低減した部品内蔵基板を提供する。  内蔵部品の周囲を枠状電極で囲むことにより、熱圧着の際、枠状電極外側の樹脂流動を抑制する。これにより、枠状電極外側に配置されたビアや配線導体の不良発生が低減できる。
2012046829.tif 000002
【特許請求の範囲】
【請求項１】
熱可塑性樹脂からなり、一対の主面を有する絶縁基材と、
前記絶縁基材内部に埋め込まれるチップ状の電子部品と、
前記主面が延びる方向と平行に延びるように、前記絶縁基材内部に形成された配線導体と、
前記絶縁基材内部に形成されたビア導体と、
を備える部品内蔵基板であって、
前記絶縁基材を前記絶縁基材の主面が延びる方向と垂直な方向から見たとき、前記電子部品を囲むように前記絶縁基材内部に形成された少なくとも一つの枠状電極を備えることを特徴とする部品内蔵基板。
【請求項２】
前記絶縁基材を前記絶縁基材の主面が延びる方向から見たとき、前記枠状電極は、前記電子部品と重ならない位置に形成されるものを含む、請求項１に記載の部品内蔵基板。
【請求項３】
前記絶縁基材を前記絶縁基材の主面が延びる方向から見たとき、前記枠状電極は、前記電子部品と少なくとも一部が重なる位置に形成されるものを含む、請求項１または請求項２のいずれかに記載の部品内蔵基板。
【請求項４】
前記配線導体および前記ビア導体は、前記絶縁基材を前記絶縁基材の主面が延びる方向と垂直な方向から見たとき、前記枠状電極で囲まれる領域よりも外側の領域に設けられる、請求項１ないし請求項３のいずれか一項に記載の部品内蔵基板。
【請求項５】
前記絶縁基材内部または前記絶縁基材の一対の主面の少なくとも一方に形成されたグランド電極をさらに備え、
前記枠状電極は、前記グランド電極に接続されている、請求項１ないし請求項４のうちいずれか一項に記載の部品内蔵基板。
【請求項６】
熱可塑性樹脂からなり一対の主面を有する絶縁基材と、前記絶縁基材内部に埋め込まれたチップ状の電子部品と、前記主面が延びる方向と平行に延びるように前記絶縁基材内部に形成された配線導体と、前記絶縁基材内部に形成されたビア導体と、
を備える部品内蔵基板の製造方法であって、
１枚以上の第１の樹脂シートと、複数の第２の樹脂シートとを準備する樹脂シート準備工程と、
前記第１の樹脂シートおよび前記第２の樹脂シートのうち、所定の樹脂シートに前記配線導体、前記ビア導体を形成する導体形成工程と、
前記第１の樹脂シートまたは前記絶縁基材内部の前記第２の樹脂シートの少なくとも一方に、少なくとも一つの枠状電極を形成する、枠状電極形成工程と、
前記第１の樹脂シートに前記電子部品を収納するための貫通孔を形成する貫通孔形成工程と、
前記第１の樹脂シートおよび前記第２の樹脂シートの積層方向から見たとき前記枠状電極が前記電子部品を囲むように前記貫通孔内部に前記電子部品を収納しつつ、前記貫通孔の２つの開口面が前記第２の樹脂シートで覆われるように、前記第１の樹脂シートおよび前記第２の樹脂シートを積層する樹脂シート積層工程と、
前記第１の樹脂シートと前記第２の樹脂シートとを加熱圧着することにより、樹脂シートの積層体である前記絶縁基材を得る加熱圧着工程と、
を備えることを特徴とする部品内蔵基板の製造方法。
【請求項７】
前記枠状電極は、前記第２の樹脂シートのうち、前記第１の樹脂シートに接しない面に設けられるものを含む、請求項６に記載の部品内蔵基板の製造方法。
【請求項８】
前記枠状電極は、前記第１の樹脂シートに接するように設けられるものを含む、請求項６または請求項７に記載の部品内蔵基板の製造方法。
【請求項９】
前記配線導体および前記ビア導体は、前記絶縁基材を前記絶縁基材の主面が延びる方向と垂直な方向から見たとき、前記枠状電極で囲まれる領域よりも外側の領域に設けられる、請求項６ないし請求項８のうちいずれか一項に記載の部品内蔵基板の製造方法。
【請求項１０】
前記導体形成工程と、前記枠状電極形成工程とは、同一の工程で行なわれる、請求項６ないし請求項９のうちいずれか一項に記載の部品内蔵基板の製造方法。
【発明の詳細な説明】
【技術分野】
【０００１】
本発明は、電子部品を内蔵する部品内蔵基板とその製造方法に関する。
【背景技術】
【０００２】
従来の部品内蔵基板は、例えば特許文献１に記載の基板が知られている。以下に、図８を参照しながら、特許文献１に記載の部品内蔵基板について説明する。図８は部品内蔵基板を示す断面図である。【０００３】
部品内蔵基板１０１は、熱可塑性樹脂からなる複数の絶縁層１０２が積層、熱圧着され構成されている。一部の絶縁層１０２には銅箔等からなる配線導体１０３が形成されており、配線導体１０３は、ビア１０４により部品内蔵基板の主面及び主面と反対の面に形成されたランド１０５と電気的に接続されている。部品内蔵基板１０１の内部には、電子部品１０６が内蔵されている。電子部品１０６の電極１０６ａは、前記ビア１０４により前記配線導体１０３及び前記ランド１０５と電気的に接続されている。
【先行技術文献】
【特許文献】
【０００４】
【特許文献１】特開２００７−３０５６７４号公報
【発明の概要】
【発明が解決しようとする課題】
【０００５】
このような部品内蔵基板は、基板を構成する複数の樹脂シートを熱圧着する際、樹脂シートの樹脂が平面方向または厚み方向に流動することにより配線導体やビアがずれてしまい、オープン不良やショート不良を起こす可能性がある。特に、内蔵部品周囲の配線の微細化、高密度化を進めていくと上記問題が起こり易くなるという課題を新たに見出した。この樹脂流動は、内蔵部品の周囲における樹脂が部品との隙間を埋めようとするために、内蔵部品周囲の流動が特に大きくなっている。【０００６】
本発明はこれらの状況を鑑み、内蔵部品の周囲に枠状電極を設けることで、熱圧着の際、枠状電極外側の樹脂流動を抑制し、その結果、配線導体やビアの不良が抑制された部品内蔵基板を提供しようとするものである。
【課題を解決するための手段】
【０００７】
本発明に係る部品内蔵基板は、熱可塑性樹脂からなり、一対の主面を有する絶縁基材と、絶縁基材内部に埋め込まれるチップ状の電子部品と、主面が延びる方向と平行に延びるように、絶縁基材内部に形成された配線導体と、絶縁基材内部に形成されたビア導体とを備え、絶縁基材を絶縁基材の主面が延びる方向と垂直な方向から見たとき、電子部品を囲むように絶縁基材内部に形成された少なくとも一つの枠状電極を備えることを特徴としている。【０００８】
内蔵部品の周囲に枠状電極を設けることで、熱圧着の際、枠状電極外側の樹脂流動が抑制される。その結果、配線導体やビアの不良発生を抑制できる。【０００９】
また、本発明に係る部品内蔵基板は、好ましくは、絶縁基材を絶縁基材の主面が延びる方向から見たとき、枠状電極は、電子部品と重ならない位置に形成されている。【００１０】
この場合、内蔵部品の周囲に枠状電極を設けることで、熱圧着の際、枠状電極外側の樹脂流動が抑制される。その結果、配線導体やビアの不良発生を抑制できる。【００１１】
また、本発明に係る部品内蔵基板は、好ましくは、絶縁基材を絶縁基材の主面が延びる方向から見たとき、枠状電極は、電子部品と少なくとも一部が重なる位置に形成されている。【００１２】
この場合、内蔵部品の周囲に枠状電極を設けることで、熱圧着の際、枠状電極外側の樹脂流動が抑制される。その結果、配線導体やビアの不良発生を抑制できる。【００１３】
また、本発明に係る部品内蔵基板は、好ましくは、配線導体およびビア導体は、絶縁基材を絶縁基材の主面が延びる方向と垂直な方向から見たとき、枠状電極で囲まれる領域よりも外側の領域に設けられる。【００１４】
この場合、枠状電極の外側に配線導体およびビア導体が設けられることで、熱圧着の際、配線導体およびビア導体が設けられている部分の樹脂流動が抑制される。その結果、配線導体がビアの不良発生を抑制できる。【００１５】
また、本発明に係る部品内蔵基板は、好ましくは、前記枠状電極がグランド電極に接続されている。【００１６】
この場合、枠状電極がグランド電極に接続されていることでグランドとして機能する。その結果、枠状電極に電磁シールドとしての機能を持たせることが可能となる。【００１７】
また、本発明に係る部品内蔵基板の製造方法は、熱可塑性樹脂からなり一対の主面を有する絶縁基材と、絶縁基材内部に埋め込まれたチップ状の電子部品と、主面が延びる方向と平行に延びるように絶縁基材内部に形成された配線導体と、絶縁基材内部に形成されたビア導体とを備える部品内蔵基板の製造方法であって、１枚以上の第１の樹脂シートと、複数の第２の樹脂シートとを準備する樹脂シート準備工程と、第１の樹脂シートおよび第２の樹脂シートのうち、所定の樹脂シートに配線導体、ビア導体を形成する導体形成工程と、第１の樹脂シートまたは絶縁基材内部の第２の樹脂シートの少なくとも一方に、少なくとも一つの枠状電極を形成する、枠状電極形成工程と、第１の樹脂シートに電子部品を収納するための貫通孔を形成する貫通孔形成工程と、第１の樹脂シートおよび第２の樹脂シートの積層方向から見たとき枠状電極が電子部品を囲むように貫通孔内部に電子部品を収納しつつ、貫通孔の２つの開口面が第２の樹脂シートで覆われるように、第１の樹脂シートおよび第２の樹脂シートを積層する樹脂シート積層工程と、第１の樹脂シートと第２の樹脂シートとを加熱圧着することにより、樹脂シートの積層体である絶縁基材を得る加熱圧着工程とを備えることを特徴としている。【００１８】
この場合、内蔵部品の周囲に枠状電極を設けることで、熱圧着の際、枠状電極外側の樹脂流動が抑制される。その結果、配線導体やビアの不良発生を抑制できる。【００１９】
また、本発明に係る部品内蔵基板の製造方法は、好ましくは、枠状電極は、第２の樹脂シートのうち、第１の樹脂シートに接しない面に設けられるものを含む。【００２０】
この場合、内蔵部品の周囲に枠状電極を設けることで、熱圧着の際、枠状電極外側の樹脂流動が抑制される。その結果、配線導体やビアの不良発生を抑制できる。【００２１】
また、本発明に係る部品内蔵基板の製造方法は、好ましくは、枠状電極は、第１の樹脂シートに接するように設けられるものを含む。【００２２】
この場合、内蔵部品の周囲に枠状電極を設けることで、熱圧着の際、枠状電極外側の樹脂流動が抑制される。その結果、配線導体やビアの不良発生を抑制できる。【００２３】
また、本発明に係る部品内蔵基板の製造方法は、好ましくは、配線導体およびビア導体は、絶縁基材を絶縁基材の主面が延びる方向と垂直な方向から見たとき、枠状電極で囲まれる領域よりも外側の領域に設けられる。【００２４】
この場合、枠状電極の外側に、配線導体およびビア導体が設けられることで、熱圧着の際、配線導体およびビア導体が設けられている部分の樹脂流動が抑制される。その結果、配線導体がビアの不良発生を抑制できる。【００２５】
また、本発明に係る部品内蔵基板の製造方法は、好ましくは、導体形成工程と、枠状電極形成工程とは、同一の工程で行われる。【００２６】
この場合、導体形成工程と枠状電極形成工程を一括して行うことで、生産性が向上する。
【発明の効果】
【００２７】
本発明によれば、内蔵部品の周囲に枠状電極を設けることで、熱圧着の際、枠状電極外側の樹脂流動が抑制される。その結果、配線導体やビアの不良発生を抑制できる。
【図面の簡単な説明】
【００２８】
【図１】本発明の第１の実施形態による部品内蔵基板の縦断面状態を示す概略図である。
【図２】本発明の実施形態による部品内蔵基板の横断面状態を示す概略図である。
【図３】本発明の実施形態による部品内蔵基板の製造工程を示す断面図である。
【図４】図３に続く製造工程を示す断面図である。
【図５】図４に続く製造工程を示す断面図である。
【図６】本発明の第２の実施形態による部品内蔵基板の縦断面状態を示す概略図である。
【図７】本発明の第３の実施形態による部品内蔵基板の縦断面状態を示す概略図である。
【図８】従来の部品内蔵基板の構造を示す断面図である。
【発明を実施するための形態】
【００２９】
（第１の実施形態）
以下に、本発明の第１の実施形態に係る部品内蔵基板ついて、図１〜図２を参照して説明する。
【００３０】
部品内蔵基板２０は、内部にビア５や配線導体７、電子部品９、枠状電極３を含む熱可塑性樹脂からなる絶縁基材１２と、絶縁基材１２の一方主面である底面に形成された外部電極１０及びグランド電極１３と、絶縁基材１２の底面とは反対側にあたる絶縁基材１２の他方主面である上面に形成された電極１１によって構成されている。
【００３１】
電子部品９は、例えば、内部電極とセラミックシートとが積層された積層体の両端に端子電極が形成されてなる積層型チップコンデンサなどのチップ状の電子部品である。
【００３２】
絶縁基材１２は、熱可塑性樹脂からなる樹脂シートが所定枚数積層され、相互に接着されることで構成されている。絶縁基材１２の内部にはキャビティ８が形成され、そのキャビティ８の内部には前記電子部品９が埋め込まれている。（図１）。
【００３３】
絶縁基材１２には、その絶縁基材１２を絶縁基材１２の主面が延びる方向と垂直な方向から見た場合、電子部品９と前記ビア５及び前記配線導体７との間であり、かつ電子部品９の周囲に枠状電極３が配置されている。枠状電極３は途切れることなく連続的に形成されている。すなわち、電子部品９は枠状電極３で完全に囲まれている。（図２）。
【００３４】
また、この枠状電極３は、絶縁基材１２を絶縁基材１２の主面が延びる方向から見た場合、電子部品９の厚みに相当する領域や、この領域近傍に配置されている。つまり、枠状電極３は、絶縁基材１２を絶縁基材１２の主面が延びる方向から見たとき、電子部品９と重なる位置と、電子部品９に接する面に形成されている。
【００３５】
なお、図１では２つの枠状電極３が図示されているが、枠状電極３は１つ、もしくは３つ以上配置されても構わない。
【００３６】
この枠状電極３を設けることで、複数の樹脂シートを熱圧着する際、枠状電極３の外側の樹脂がキャビティ８と電子部品９の周囲の隙間へ流れ込むことを抑制することができる。そのため、枠状電極３の外側の領域においては、樹脂流動によるビア５や配線導体７の位置ずれが発生しにくくなり、その結果、オープン不良やショート不良の発生が低減される。
【００３７】
配線導体７は、ビア５により絶縁基材１２の上面に配置された電極１１や、絶縁基材１２の底面に形成された外部電極１０と電気的に接続されている。また、電子部品９もビア５を介して外部電極１０と電気的に接続されている。一つの枠状電極３はビア５により、絶縁基材１２の底面に形成されたグランド電極１３と電気的に接続されている。枠状電極３をグランド電極１３と接続させることで、枠状電極３を電磁シールドとして機能させることが可能となる。（図１）。なお、グランド電極１３は、絶縁基材１２の内部に設けられていてもよい。
【００３８】
次に、本発明の実施形態に係る部品内蔵基板の製造方法について、図３〜図５を参照して説明する。
【００３９】
まず、熱可塑性樹脂であるＬＣＰ（液晶ポリマー）からなる樹脂シート１ａを用意する。樹脂シート１ａの構成材料としては、ＬＣＰの他にＰＥＥＫ（ポリエーテルエーテルケトン）、ＰＥＩ（ポリエーテルイミド）、ＰＰＳ（ポニフェニレンスルファイド）、ＰＩ（ポリイミド）等が用いられる。この樹脂シート１ａは片面にＣｕからなる厚さ１８μｍの導体箔４を有している。なお、導体箔４の材料はＣｕ以外にＡｇ、Ａｌ、ＳＵＳ、Ｎｉ、Ａｕやその合金でもよい。また、この実施形態では１８μｍの厚さの導体箔を用いたが、導体箔４の厚みは３〜４０μｍ程度で回路形成が可能な厚さであればよい。（図３（ａ））。
【００４０】
次に、前記樹脂シート１ａの樹脂シート側に炭酸ガスレーザーを照射してビア用の孔５ａを形成する。その後、ビア用の孔５ａに残った樹脂残渣を除去する。（図３（ｂ））。
【００４１】
次に、前記樹脂シート１ａの導体箔４の上に汎用のフォトリソグラフィーで所望の回路パターンに対応するレジスト６を形成する。（図３（ｃ））。
【００４２】
次に、前記導体箔４のうち前記レジスト６で被覆されていない部分をエッチングする。その後、レジスト６を除去して枠状電極３および配線導体７を形成する。この配線導体７は、図では簡略的に示しているが、実際には微細配線であり、高密度に形成されている。（図３（ｄ））。
【００４３】
次に、前記ビア用の孔５ａに、スクリーン印刷等により導電性ペーストを充填し、ビア５を形成する。充填する導電性ペーストはＣｕを主成分とする。この導電性ペーストは、熱圧着する温度で前記配線導体７の導体金属と合金層を形成するような金属粉を適量入れるとよい。この導電性ペーストは主成分としてＣｕを用いているので、この金属分はＡｇ、Ｃｕ、Ｎｉのうち少なくとも１種類と、Ｓｎ、Ｂｉ、Ｚｎのうち少なくとも１種類を入れるとよい。（図４（ｅ））。
【００４４】
次に、パンチ加工により後述の電子部品９と同じか、もしくはそれより大きい面積の貫通孔８ａを形成する。これにより樹脂シート１ａは第１の樹脂シート１となる。（図４（ｆ））。
【００４５】
なお、図４（ｇ）に示す第２の樹脂シート２は、前述の第１の樹脂シート１の製造工程に対し、図４（ｆ）に示す貫通孔８ａの形成工程を省略して形成することで、第２の樹脂シート２となる。
【００４６】
次に、前記第１の樹脂シート１及び前記第２の樹脂シート２を所定枚数積層する。まず、完成後の部品内蔵基板の底面に配線導体７が配置されるよう、第２の樹脂シート２の上下を裏返して使用する。これにより完成後の部品内蔵基板の底面に配置された配線導体７は外部電極１０及びグランド電極１３となる。次に、第２の樹脂シート２の上に、上下を裏返した第１の樹脂シート１を２枚配置する。配置する際、第１の樹脂シート１に形成された貫通孔８ａが連なって後述の電子部品９が挿入されるための凹部が形成されるように配置する。その後、後述の熱圧着温度より低い温度（１５０〜２００℃）で仮圧着する。これにより、第１の樹脂シート１の貫通孔８ａが連なりキャビティ８が形成される。（図４（ｇ））。
【００４７】
次に、電子部品９を前記キャビティ８に挿入する。（図４（ｈ））。
【００４８】
次に、前記第１の樹脂シート１及び電子部品９の上に、別の第２の樹脂シート２を配置する。この第２の樹脂シート２は、第２の樹脂シート２に形成された配線導体７が完成後の部品内蔵基板の下面に形成された外部電極１０側とは反対側、すなわち部品内蔵基板の上面側にくるように配置する。次に、この第２の樹脂シート２の上に、別の第２の樹脂シート２を配置する。この第２の樹脂シートは、樹脂シートに形成された配線導体７が部品内蔵基板の上面側にくるように配置する。基板の上面に位置する第２の樹脂シート２に形成された配線導体７は、他のＩＣ部品等を実装するための電極１１となる。（図５（ｉ））。
【００４９】
次に、前記第１の樹脂シート１、第２の樹脂シート２を２５０℃〜３００℃で熱圧着する。
【００５０】
熱圧着することにより、隣り合った樹脂シートは相互に接着されて絶縁基材１２が形成されるとともに、電子部品９とビア５とが導通される。熱圧着の際、枠状電極３の内側の樹脂は前記キャビティ８と前記電子部品９の隙間に流動するが、枠状電極３を設けたことで、枠状電極３の外側の樹脂は枠状電極３の内側の樹脂流動の影響を受けない。つまり、枠状電極３の外側の樹脂は枠状電極３により流動が抑制される。そのため、樹脂流動によるビア５や配線導体７の位置ずれが発生しにくくなり、その結果、オープン不良やショート不良の発生が低減される。
【００５１】
熱圧着後、部品内蔵基板２０の上面及び底面に形成された外部電極１０、グランド電極１３及び電極１１の表面に、ＮｉやＡｕでめっき処理を施す。（図３（ｊ））。
【００５２】
なお、図３（ｊ）においては、上述したとおり、第１の樹脂シート１、第２の樹脂シート２を熱圧着して絶縁基材１２を形成したことにより、積層された第１の樹脂シート１および第２の樹脂シート２の層間界面が実質的になくなっている。
【００５３】
なお、この実施形態では第１の樹脂シート１を２枚積層するものであったが、内蔵する電子部品９の挿入が可能なキャビティを形成するために、使用する第１の樹脂シート１の枚数を適宜変更することが可能である。また、第２の樹脂シート２の枚数についても、所望する基板に応じて変更することが可能である。さらに、第１の樹脂シート１、第２の樹脂シート２を積層する順番は、所望する基板に応じて変更することが可能である。
（第２の実施形態）
次に、本発明の第２の実施形態について、図６を参照して説明する。なお、第１の実施形態と同一箇所については、同一の符号を付してその説明を省略する。
【００５４】
第２の実施形態に係る部品内蔵基板３０は、第１の実施形態に係る部品内蔵基板２０と同様、絶縁基材１２の内部に形成された枠状電極３Ａを備えている。この枠状電極３Ａは、絶縁基材１２を絶縁基材１２の主面が延びる方向から見たとき、部品内蔵基板２０と同様、電子部品９とビア５及び配線導体７との間であり、かつ電子部品９の周囲に配置されている。
【００５５】
ただし、絶縁基材１２の主面が延びる方向から見たとき、枠状電極３Ａは、電子部品９と重ならない位置に形成されている。すなわち、枠状電極３Ａは、電子部品９よりも絶縁基材１２の積層方向において、上部側および下部側に位置する絶縁基材１２中に形成されている。枠状電極３Ａは、熱圧着前の絶縁基材１２において、絶縁基材１２の内部であって、電子部品９に接する面を除く第２の樹脂シート上に設けられる。
【００５６】
部品内蔵基板３０の製造時に、複数の樹脂シートを熱圧着する際、平面方向に比べ積層方向に圧力がかかる。その影響で、平面方向の樹脂流動に比べ積層方向の樹脂流動の方がより大きくなる。部品内蔵基板３０に形成された枠状電極３Ａは、電子部品９よりも絶縁基材１２の積層方向において上部側および下部側に配置されているため、キャビティ８と電子部品９の隙間への樹脂流動をさらに抑制することが可能となり、ビア５や配線導体７が位置ずれしにくくなる。その結果、オープン不良やショート不良の発生がさらに低減される。
【００５７】
なお、ここでは枠状電極３Ａを電子部品９よりも絶縁基材１２の積層方向において上部側および下部側に一つずつ配置するものを示したが、上部側または下部側の枠状電極３Ａのうちいずれか一つを配置しても構わない。また、上部側または下部側のみに複数の枠状電極３Ａを配置しても構わない。
（第３の実施形態）
次に、本発明の第３の実施形態について、図７を参照して説明する。なお、第１、２の実施形態と同一箇所については、同一の符号を付してその説明を省略する。
【００５８】
第３の実施形態に係る部品内蔵基板４０の枠状電極３Ｂは、第１の実施形態にかかる枠状電極３に相当する位置に加え、絶縁基材１２の内部であって、絶縁基材１２の主面が延びる方向から見たとき、電子部品９と重ならない位置にも形成されている。すなわち、枠状電極３Ｂは、熱圧着前の絶縁基材１２において、絶縁基材１２の内部であって、電子部品９に接する面を除く第２の樹脂シート上に設けられるものを含んでいる。
【００５９】
この場合、積層方向の樹脂流動を抑制できると共に、平面方向の樹脂流動の抑制も可能となるため、ビア５や配線導体７の位置ずれがさらに抑制できる。その結果、オープン不良やショート不良の発生がさらに低減される。
【００６０】
なお、上記実施例において、枠状電極３、３Ａ、３Ｂは途切れることなく連続的に形成されているものを例示しているが、本発明はこれに限ることなく、部分的に非連続になっていても構わない。つまり、実質的に枠状になっていればよい。
【符号の説明】
【００６１】
１：第１の樹脂シート
１ａ：樹脂シート
２：第２の樹脂シート
３、３Ａ、３Ｂ：枠状電極
４：導体箔
５：ビア
５ａ：ビア用の孔
６：レジスト
７：配線導体
８：キャビティ
８ａ：貫通孔
９：電子部品
１０：外部電極
１１：電極
１２：絶縁基材
１３：グランド電極
２０、３０、４０：部品内蔵基板
１０１：部品内蔵基板
１０２：絶縁層
１０３：配線導体
１０４：ビア
１０５：ランド
１０６：電子部品
１０６ａ：電極
【図１】
2012046829.tif 000003
【図２】
2012046829.tif 000004
【図３】
2012046829.tif 000005
【図４】
2012046829.tif 000006
【図５】
2012046829.tif 000007
【図６】
2012046829.tif 000008
【図７】
2012046829.tif 000009
【図８】
2012046829.tif 000010
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
熱可塑性樹脂からなり、一対の主面を有する絶縁基材と、
前記絶縁基材内部に埋め込まれるチップ状の電子部品と、
前記主面が延びる方向と平行に延びるように、前記絶縁基材内部に形成された配線導体と、
前記絶縁基材内部に形成されたビア導体と、
を備える部品内蔵基板であって、
前記絶縁基材を前記絶縁基材の主面が延びる方向と垂直な方向から見たとき、前記電子部品を囲むように前記絶縁基材内部に形成された少なくとも一つの枠状電極を備え、
前記絶縁基材を前記絶縁基材の主面が延びる方向から見たとき、前記枠状電極は、前記電子部品と重ならない位置に形成されるものを含むことを特徴とする部品内蔵基板。
【請求項２】
前記絶縁基材を前記絶縁基材の主面が延びる方向から見たとき、前記枠状電極は、前記電子部品と少なくとも一部が重なる位置に形成されるものを含む、請求項１に記載の部品内蔵基板。
【請求項３】
前記配線導体および前記ビア導体は、前記絶縁基材を前記絶縁基材の主面が延びる方向と垂直な方向から見たとき、前記枠状電極で囲まれる領域よりも外側の領域に設けられる、請求項１または請求項２に記載の部品内蔵基板。
【請求項４】
前記絶縁基材内部または前記絶縁基材の一対の主面の少なくとも一方に形成されたグランド電極をさらに備え、
前記枠状電極は、前記グランド電極に接続されている、請求項１ないし請求項３のうちいずれか一項に記載の部品内蔵基板。
【請求項５】
熱可塑性樹脂からなり一対の主面を有する絶縁基材と、前記絶縁基材内部に埋め込まれたチップ状の電子部品と、前記主面が延びる方向と平行に延びるように前記絶縁基材内部に形成された配線導体と、前記絶縁基材内部に形成されたビア導体と、
を備える部品内蔵基板の製造方法であって、
１枚以上の第１の樹脂シートと、複数の第２の樹脂シートとを準備する樹脂シート準備工程と、
前記第１の樹脂シートおよび前記第２の樹脂シートのうち、所定の樹脂シートに前記配線導体、前記ビア導体を形成する導体形成工程と、
前記第１の樹脂シートおよび前記絶縁基材内部の前記第２の樹脂シートのうち少なくとも前記第２の樹脂シートに、少なくとも一つの枠状電極を形成する、枠状電極形成工程と、
前記第１の樹脂シートに前記電子部品を収納するための貫通孔を形成する貫通孔形成工程と、
前記第１の樹脂シートおよび前記第２の樹脂シートの積層方向から見たとき前記枠状電極が前記電子部品を囲むように前記貫通孔内部に前記電子部品を収納しつつ、前記貫通孔の２つの開口面が前記第２の樹脂シートで覆われるように、前記第１の樹脂シートおよび前記第２の樹脂シートを積層する樹脂シート積層工程と、
前記第１の樹脂シートと前記第２の樹脂シートとを加熱圧着することにより、樹脂シートの積層体である前記絶縁基材を得る加熱圧着工程と、を備え、
前記枠状電極は、前記第２の樹脂シートのうち、前記第１の樹脂シートに接しない面に設けられるものを含むことを特徴とする部品内蔵基板の製造方法。
【請求項６】
前記枠状電極は、前記第１の樹脂シートに接するように設けられるものを含む、請求項５に記載の部品内蔵基板の製造方法。
【請求項７】
前記配線導体および前記ビア導体は、前記絶縁基材を前記絶縁基材の主面が延びる方向と垂直な方向から見たとき、前記枠状電極で囲まれる領域よりも外側の領域に設けられる、請求項５または請求項６に記載の部品内蔵基板の製造方法。
【請求項８】
前記導体形成工程と、前記枠状電極形成工程とは、同一の工程で行なわれる、請求項５ないし請求項７のうちいずれか一項に記載の部品内蔵基板の製造方法。
【手続補正２】
【補正対象書類名】明細書
【補正対象項目名】０００７
【補正方法】変更
【補正の内容】
【０００７】
本発明に係る部品内蔵基板は、熱可塑性樹脂からなり、一対の主面を有する絶縁基材と、絶縁基材内部に埋め込まれるチップ状の電子部品と、主面が延びる方向と平行に延びるように、絶縁基材内部に形成された配線導体と、絶縁基材内部に形成されたビア導体とを備え、絶縁基材を絶縁基材の主面が延びる方向と垂直な方向から見たとき、電子部品を囲むように絶縁基材内部に形成された少なくとも一つの枠状電極を備え、絶縁基材を絶縁基材の主面が延びる方向から見たとき、枠状電極は、電子部品と重ならない位置に形成されるものを含むことを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１７
【補正方法】変更
【補正の内容】
【００１７】
また、本発明に係る部品内蔵基板の製造方法は、熱可塑性樹脂からなり一対の主面を有する絶縁基材と、絶縁基材内部に埋め込まれたチップ状の電子部品と、主面が延びる方向と平行に延びるように絶縁基材内部に形成された配線導体と、絶縁基材内部に形成されたビア導体とを備える部品内蔵基板の製造方法であって、１枚以上の第１の樹脂シートと、複数の第２の樹脂シートとを準備する樹脂シート準備工程と、第１の樹脂シートおよび第２の樹脂シートのうち、所定の樹脂シートに配線導体、ビア導体を形成する導体形成工程と、第１の樹脂シートおよび絶縁基材内部の第２の樹脂シートのうち少なくとも第２の樹脂シートに、少なくとも一つの枠状電極を形成する、枠状電極形成工程と、第１の樹脂シートに電子部品を収納するための貫通孔を形成する貫通孔形成工程と、第１の樹脂シートおよび第２の樹脂シートの積層方向から見たとき枠状電極が電子部品を囲むように貫通孔内部に電子部品を収納しつつ、貫通孔の２つの開口面が第２の樹脂シートで覆われるように、第１の樹脂シートおよび第２の樹脂シートを積層する樹脂シート積層工程と、第１の樹脂シートと第２の樹脂シートとを加熱圧着することにより、樹脂シートの積層体である絶縁基材を得る加熱圧着工程とを備え、枠状電極は、第２の樹脂シートのうち、第１の樹脂シートに接しない面に設けられるものを含むことを特徴としている。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【国際調査報告】
2012046829.tif 000011
2012046829.tif 000012